(57)【要約】排水機構として、基板の裏面の凹部を利用した排水路、排水口として機能し得る排水口、多孔性基板、特に、紙繊維等と土質細物等を含有する組成物により構成される小粒単位が、連結・固定された多孔性基板等を用いることにより、排水機構が設けられた、コケ植物の固定化基板を提供する。
2003098995.tif 000002
【特許請求の範囲】
【請求項１】
粉砕紙及び／又は紙前駆物並びに土質細物を含有する組成物を土台としてコケ植物が固定されている固定物において、当該固定物に、排水機構が設けられていることを特徴とするコケ植物の固定基板。
【請求項２】
粉砕紙及び／又は紙前駆物並びに土質細物を含有する組成物を土台としてコケ植物が固定されている固定基板の全部または上面が、コケ植物が表面に露出している、粉砕紙及び／又は紙前駆物、土質細物、並びに、コケ植物を含有する組成物により形成され、かつ、当該固定基板面に、貫通口が設けられた凹面を有する凹凸構造が設けられている、請求項１記載の固定基板。
【請求項３】
多孔基板を、排水機構として用いている、請求項１または２記載の固定基板。
【請求項４】
粉砕紙及び／又は紙前駆物並びに土質細物を含有する組成物を土台としてコケ植物が固定されている固定基板の上面において、コケ植物が表面に露出している、粉砕紙及び／又は紙前駆物、土質細物、並びに、コケ植物を含有する組成物により形成され、かつ、下面が、多孔基板で形成されている、請求項３記載の固定基板。
【請求項５】
基板表面の一部または全部に、粉砕紙及び／又は紙前駆物、コケ植物、並びに、土質細物を含有する組成物で構成される小粒単位が固定されている、請求項３記載の固定基板。
【請求項６】
多孔基板が、粉砕紙及び／又は紙前駆物並びに土質細物を含有する組成物で構成される小粒単位が連結固定されてなる多孔基板である、請求項３〜５のいずれかに記載の固定基板。
【発明の詳細な説明】
技術分野
本発明は、植物素材を用いた材料に関する発明である。
背景技術
近年、地球温暖化等の環境問題が深刻化するに従い、環境改善に貢献すべく、種々の「自然回帰素材」が提供されている。
本発明者は、コケ植物を基板等に固定化して、これを環境改善のために用いることを試み、例えば、ＰＣＴ／ＪＰ０１／１０３１３号の出願において、コケ植物の固定基板を提供している。
この固定基板は、粉砕紙及び／又は紙前駆物並びに土質細物を含有する基板を土台にして、基板表面にコケ植物を露出させた状態で固定化して基板であり、コスト面と効果面において、道路法面や屋上等のコンクリート面の環境改善を、現実的に行うことが可能な、優れた環境改善用基板である。
このような、コケ植物の固定基板における、一つの改善点として、基板における水捌けを改善することが挙げられる。例えば、屋上のような、水平面を施工して、コケ植物の基板を設置した場合の降雨時における水捌けが問題となることがある。すなわち、激しい降雨に見舞われた場合、基板に排水機構が設けられていないと、雨水が基板表面に滞留し、これがわずかな傾斜による水流となることで、基板表面のコケ植物を脱落させる原因となることも想定されるのである。
そこで、本発明が解決すべき課題は、コケ植物の固定基板に適した排水手段を見出し、かかる排水手段を行うことが可能な排水機構が設けられた当該固定基板を提供することにある。
発明の開示
本発明者は、この課題の解決に向けて鋭意検討を行った結果、種々のコケ植物の固定基板に適した排水機構に想到し、本発明を完成するに至った。
本発明は、粉砕紙及び／又は紙前駆物（以下、粉砕紙等ともいう）並びに土質細物を含有する組成物（以下、土台組成物ともいう）を土台としてコケ植物が固定されている固定物において、当該固定物に、排水機構が設けられていることを特徴とするコケ植物の固定基板（以下、本固定基板ともいう）を提供する発明である。
土台組成物に含有させることのある、粉砕紙とは、文字通り、粉砕した紙であり、紙の種類は、特に限定されない。例えば、新聞紙、衛生用紙、雑誌類、チラシ、コピー用紙等を、紙として使用することが可能であり、また、ケナフ紙（ケナフの植物繊維により普通紙の製造工程に準じて製造され得る紙）を紙として用いることもできる。粉砕とは、基となる紙の一部または全部が紙繊維単位まで細かくなっている状態をいう。粉砕手段は、特に限定されないが、後述する前駆組成物を調製する際に、水中で、剪断刃による剪断、やすり刃による削り出し、さらには、手もみ等により、所望する粉砕紙を調製することができる。
紙前駆物とは、パルプから精製した、紙の直接的な原料となる水を含んだ植物繊維である。
土質細物とは、「土に近似した形態の細かいもの」という意味であり、具体的には、土（培養土等）、砂利、砂、陶器粉、ガラス粉、珪藻土、灰類、軽量骨材、粘土、ピートモス、パーライト等を挙げることができる。土質細物は、１種であっても、２種以上であってもよく、必要に応じて、種類や配合を適宜選択することができる。
なお、土台組成物には、土質細物以外の細物を、その本来の目的を損なわない限り、必要に応じて含有させることも可能である。具体的には、例えば、植物繊維（例えば、植物の切断根等）、わら、生ゴミ粉砕物、炭片、鉱石類、植物の種子等を含有させることができる。殊に、植物繊維は、これらの組成物を強化する上で、含有させることが有益である場合が認められる。特に、切断直後の切断根は、植物から切り離した後も、しばらくは、生命活動を継続して、製品中において伸長し、当該製品の強度を向上させることができる。よって、植物の根部を、土台組成物に含有させる場合には、可能な限り、植物からの切離し直後の根部を用いることが好適である。かかる根部を提供する植物の種類は、特に限定されないが、イネ、ムギ、トウモロコシ等のイネ科の植物の根部を用いることが実用的である。植物の根部の含有量は、特に限定されないが、一般的には、土台組成物に対して、湿潤質量で１〜２０質量％程度である。
また、土台組成物においては、土質細物として粘土を含有させることが、これらの組成物自体の、強度と塑性を向上させることが可能であり、好ましい〔粘土と粉砕紙等を共存させることにより、相乗的に強度と塑性を向上させることが可能である〕。なお、本発明において、粘土とは、土粒子の平均粒径が、０．０７４ｍｍ以下の土質細物であり、一般的に、シルト、粘土ないしコロイドと呼ばれている土質細物を意味するものとする。
なお、土台組成物において、粉砕紙等および土質細物以外に、例えば、粘結剤、増粘剤等の粘結強化剤を含有させることも可能である。しかしながら、これらの粘結強化剤（特に、化学合成品）の添加をしなくても、本発明の所期の効果を十分に発揮可能である故に、地球環境に対して優しくすべき（すなわち、降雨等によっても、環境に対して悪影響を及ぼすことが懸念される化学合成品が流出するおそれがない）であり、可能な限り、これらの粘結強化剤は含有させないことが好適である。かかる意味で、土台組成物は、実質的に粘結強化剤が含有されていないことが好適である〔ここで、実質的とは、例えば、紙の中に含まれている微量成分（例えば、新聞紙等の印刷紙のインキ成分等）や水分が含有され得ることを示すものである〕。
土台組成物は、それらの前駆組成物を経て形成される。すなわち、まず、粉砕紙等、土質細物および水（コケ植物も含むこともある）を含有する前駆組成物を調製して、これらの前駆組成物を、本固定基板の製造に向けて用いることとなる。すなわち、土台組成物の前駆組成物を、所望する形状に対応した型枠内等で、例えば、後述する工程を経て、積層・圧縮・成形して、湿潤状態の本固定基板を得、これを乾燥することにより、本固定基板の完成品を得ることができる。
土台組成物における、粉砕紙等および土質細物の比率は、特に限定されないが、概ね、質量比で、粉砕紙等：土質細物＝１：２〜１：４程度が好ましい。粉砕紙等の比率が多くなりすぎると、土台組成物自体が脆くなり、色合いにおいても、紙の色が全面に出てしまい、色彩意匠的にも適切性を欠く場合がある。また、土質細物の比率が多くなり過ぎると、土台組成物における固着性が低下し、乾燥しても安定して定形化することが困難となるばかりか、両組成物の単位体積当りのコストが上昇する傾向が強くなる。
なお、上述したように、土台組成物において用いる土質細物として、粘土を含有させることが好適である。かかる粘土の含有量は、特に限定されず、これらの組成物の土質細物全部を、粘土とすることも可能であるが、一般的には、質量比で、粘土：粘土以外の土質細物＝１：１０〜１：１程度が好ましい。
また、土台組成物における粉砕紙等および土質細物と、水の比率は、特に限定されず、自由に選択し得るが、一般的には、前駆組成物全量に対して１〜３０質量％、同３〜２５質量％程度が好ましい。水の含有量が少なすぎると、粉砕紙を用いる場合の紙の粉砕作業が難しくなり、粉砕紙と土質細物との十分な混練も困難となる。水の含有量が多過ぎると、前駆組成物の重量が重くなりすぎ、両組成物の調製作業に過度の負担を与えるばかりか、水資源の浪費となってしまう。ただし、土台組成物を薄い形態に成形するときには、水の量を相対的に増量することが好適である場合も認められる。なお、粉砕紙の代わりに紙前駆物を用いる場合は、水を含んだ状態の紙前駆物が、結果として上記の水含有量であることが好適である。
土台組成物には、必要に応じて、コケ植物を含有させることができる。用い得るコケ植物は、自然界に自生しているコケ植物をそのまま用いることも可能である。例えば、全長が２〜３ｍｍの発生初期の状態から、植物体長がある程度の長さ、具体的には、２〜３ｃｍ以上（上限は、そのコケ植物の植物体長の最大限までで特に限定されない）程度であっても用いることができる。これらのコケ植物は、栽培法により得たコケ植物であっても、また、いわゆる培養法〔例えば、「植物バイオテクノロジーＩＩ」，東京化学同人：現代化学・増刊２０の第３９頁「蘚苔類の培養」（小野著）等参照のこと〕を用いた「培養ゴケ」を用いることも可能であるが、通常は、栽培法で得たコケ植物を用いることが好ましい。
コケ植物は、用いるコケ植物の種類に応じた既に知られている方法で栽培することができる。
具体的には、例えば水捌けの良好なパレット上に砂等を敷いて、その上にコケ植物を植えて、そのコケ植物の種類に応じた温度条件及び日照条件で養生することにより、所望する種類のコケ植物を栽培することができる。
また、一旦パレットで育てたコケ植物や自然界に自生しているコケ植物を、より大規模に栽培するために、地上に蒔き、これを養生することも可能である。
この場合には、コケ植物の砂等の汚れを落し、これを効率的に地上に分散させることが好ましい。このような汚れが落ちて適度に分散したコケ植物を効率的に得るために、例えば、洗浄前のコケ植物を、水で一旦洗浄し、これに緩徐な遠心処理を施すことができる。一連のコケ植物の洗浄工程は、通常、家庭で行われる洗濯の、洗い→すすぎ（洗浄工程）→脱水（緩徐な遠心工程）という通常の工程に準じて行うことができる。
緩徐な遠心処理は、コケ植物が、ほぼ脱水された状態になった時点で終了することが好ましい。この具体的な遠心処理の回転数は、家庭用の洗濯用の脱水機程度、具体的には、５００〜１５００回転／分程度で、３分程度行うことが好ましいが、これに限定されるものではない。このようにして得られた、洗浄済みのコケ植物は、通常の篩落し方法により、地上に均等に分散させて蒔くことが可能である。この篩落し方法は、人力による篩落しでも、バイブレーター等の機械力による篩落しであってもよい。
特に、広い面積にコケ植物を蒔く場合には、例えば、トラクター等の移動可能な装置に篩落とし機能を設けて、このトラクター等を自走させつつ、コケ植物を篩落して、所望する領域において、均等に、かつ、効率良くコケ植物を蒔くことができる。
用い得るコケ植物の種類は特に限定されない。
例えば、Ａｔｒｉｃｈｕｍ  ｕｎｄｕｌａｔｕｍ（Ｈｅｄｗ．）Ｐ．Ｂｅａｕｖ（Ｎａｍｉｇａｔａ−Ｔａｃｈｉｇｏｋｅ）等のＡｔｒｉｃｈｕｍ  Ｐ．Ｂｅａｕｖ．（Ｔａｃｈｉｇｏｋｅ−ｚｏｋｕ）；Ｐｏｇｏｎａｔｕｍ  ｉｎｆｌｅｘｕｍ（Ｌｉｎｄｂ．）Ｌａｃ．（Ｋｏ−ｓｕｇｉｇｏｋｅ）等のＰｏｇｏｎａｔｕｍ  Ｐ．Ｂｅａｕｖ（Ｎｉｗａ−ｓｕｇｉｇｏｋｅ−ｚｏｋｕ）；Ｐｏｌｙｔｒｉｃｈａｓｔｒｕｍ  ｆｏｒｍｏｓｕｍ（Ｈｅｄｗ．）Ｇ．Ｌ．Ｓｍｉｔｈ等のＰｏｌｙｔｒｉｃｈａｓｔｒｕｍ  Ｇ．Ｌ．Ｓｍｉｔｈ（Ｍｉｙａｍａ−ｓｕｇｉｇｏｋｅ−ｚｏｋｕ）；Ｐｏｌｙｔｒｉｃｈｕｍ  ｃｏｍｍｕｎｅ  Ｈｅｄｗ．（Ｕｍａ−ｓｕｇｉｇｏｋｅ）等のＰｏｌｙｔｒｉｃｈｕｍ  Ｈｅｄｗ．（Ｓｕｇｉｇｏｋｅ−ｚｏｋｕ）；Ｃｅｒａｔｏｄｏｎ  ｐｕｒｐｕｒｅｕｓ（Ｈｅｄｗ．）Ｂｉｒｄ．（Ｙａｎｏｕｅｎｏ−ａｋａｇｏｋｅ）等のＣｅｒａｔｏｄｏｎ  Ｂｉｒｄ．（Ｙａｎｏｕｅｎｏａｋａ−ｇｏｋｅ−ｚｏｋｕ）；Ｄｉｃｒａｎｕｍ  ｊａｐｏｎｉｃｕｍ  Ｍｉｔｔ．（Ｓｈｉｐｐｏｇｏｋｅ）、Ｄｉｃｒａｎｕｍ  ｎｉｐｐｏｎｅｎｓｅ  Ｂｅｓｃｈ（Ｏ−ｓｈｉｐｐｏｇｏｋｅ）、Ｄｉｃｒａｎｕｍ  ｓｃｏｐａｒｉｕｍ  Ｈｅｄｗ．（Ｋａｍｏｊｉｇｏｋｅ）、Ｄｉｃｒａｎｕｍ  ｐｏｌｙｓｅｔｕｍ  Ｓｗ．（Ｎａｍｉ−ｓｈｉｐｐｏｇｋｅ）等のＤｉｃｒａｎｕｍ  Ｈｅｄｗ．（Ｓｈｉｐｐｏｇｏｋｅ−ｚｏｋｕ）；Ｌｅｕｃｏｂｒｙｕｍ  ｓｃａｂｒｕｍ  Ｌａｃ．（Ｏ−ｓｈｉｒａｇａｇｏｋｅ）、Ｌｅｕｃｏｂｒｙｕｍ  ｊｕｎｉｐｅｒｏｉｄｅｕｍ（Ｂｒｉｄ．）Ｃ．Ｍｕｌｌ．（Ｈｏｓｏｂａ−ｏｋｉｎａｇｏｋｅ）等のＬｅｕｃｏｂｒｙｕｍ  Ｈａｍｐｅ（Ｓｈｉｒａｇａｇｏｋｅ−ｚｏｋｕ）；Ｂｒｙｕｍ  ａｒｇｅｎｔｅｕｍ  Ｈｅｄｗ．（Ｇｉｎｇｏｋｅ）等のＢｒｙｕｍ  Ｈｅｄｗ．（Ｈａｒｉｇａｎｅｇｏｋｅ−ｚｏｋｕ）；Ｒｈｏｄｏｂｒｙｕｍ  ｇｉｇａｎｔｅｕｍ（ｓｃｈｗａｅｇｒ．）Ｐａｒ．（Ｏ−ｋａｓａｇｏｋｅ）等のＲｈｏｄｏｂｒｙｕｍ（Ｓｃｈｉｍｐ．）Ｈａｍｐｅ（Ｋａｓａｇｏｋｅ−ｚｏｋｕ）、Ｐｌａｇｉｏｍｎｉｕｍ  ａｃｕｔｕｍ（Ｌｉｎｄｂ．）Ｔ．Ｋｏｐ．（Ｋｏｔｓｕｂｏｇｏｋｅ）等のＰｌａｇｉｏｍｎｉｕｍ  Ｔ．Ｋｏｐ．（Ｔｓｕｒｕ−ｃｈｏｃｈｉｎｇｏｋｅ−ｚｏｋｕ）；Ｔｒａｃｈｙｃｙｓｔｉｓ  ｍｉｃｒｏｐｈｙｌｌａ（Ｄｏｚｙ  ｅｔ  Ｍｏｌｋ．）Ｌｉｎｄｂ．（Ｋｏｂａｎｏ−ｃｈｏｃｈｉｎｇｏｋｅ）等のＴｒａｃｈｙｃｙｓｔｉｓ  Ｌｉｎｄｂ．（Ｋｏｂａｎｏ−ｃｈｏｃｈｉｎｇｏｋｅ−ｚｏｋｕ）；Ｐｙｒｒｈｏｂｒｙｕｍ  ｄｏｚｙａｎｕｍ（Ｌａｃ．）Ｍａｎｕｅｌ（Ｈｉｎｏｋｉｇｏｋｅ）等のＰｙｒｒｈｏｂｒｙｕｍ  Ｍｉｔｔ．（Ｈｉｎｏｋｉｇｏｋｅ−ｚｏｋｕ）；Ｂａｒｔｒａｍｉａ  ｐｏｍｉｆｏｒｍｉｓ  Ｈｅｄｗ．（Ｏ−ｔａｍａｇｏｋｅ）等のＢａｒｔｒａｍｉａ  Ｈｅｄｗ．（ｔａｍａｇｏｋｅ−ｚｏｋｕ）；Ｃｌｉｍａｃｉｕｍ  ｄｅｎｄｒｏｉｄｅｓ（Ｈｅｄｗ．）Ｗｅｂ．ｅｔ  Ｍｏｈｒ（Ｆｕｒｏｓｏ）、Ｃｌｉｍａｃｉｕｍ  ｊａｐｏｎｉｃｉｕｍ  Ｌｉｎｄｂ．（Ｋｏｙａｎｏ−ｍａｎｎｅｎｇｕｓａ）等のＣｌｉｍａｃｉｕｍ  Ｗｅｂ．ｅｔ  Ｍｏｈｒ（Ｋｏｙａｎｏ−ｍａｎｎｅｎｇｕｓａ−ｚｏｋｕ）；Ｒａｃｏｍｉｔｒｉｕｍ  ｅｒｉｃｏｉｄｅｓ（Ｗｅｂ．ｅｔ  Ｂｒｉｄ）Ｂｒｉｄ（Ｈａｉ−ｓｕｎａｇｏｋｅ）、Ｒａｃｏｍｉｔｒｉｕｍ  ｊａｐｏｎｉｃｉｕｍ  Ｄｏｚｙ  ｅｔ  Ｍｏｌｋ．（Ｅｚｏ−ｓｕｎａｇｏｋｅ）、Ｒａｃｏｍｉｔｒｉｕｍ  ｃａｎｅｓｃｅｎｓ（Ｈｅｄｗ．）Ｂｒｉｄ．ｓｓｐ．ｌａｔｉｆｏｌｉｕｍ（Ｓｕｎａｇｏｋｅ）、Ｒａｃｏｍｉｔｒｉｕｍ  ｂａｒｂｕｌｏｉｄｅｓ  Ｃａｒｄ．（Ｋｏｂａｎｏｓｕｎａｇｏｋｅ）等のＲａｃｏｍｉｔｒｉｕｍ  Ｂｒｉｄ．（Ｓｈｉｍｏｆｕｒｉｇｏｋｅ−ｚｏｋｕ）；Ｈｙｐｎｕｍ  ｐｌｕｍａｅｆｏｒｍｅ  Ｗｉｌｓ．（Ｈａｉｇｏｋｅ）等のＨｙｐｎｕｍ  Ｈｅｄｗ．，ｎｏｍ．ｃｏｎｓ．（Ｈａｉｇｏｋｅ−ｚｏｋｕ）；Ｔｈｕｉｄｉｕｍ  Ｋａｎｅｄａｅ  Ｓａｋ．（Ｔｏｙａｍａ−ｓｈｉｎｏｂｕｇｏｋｅ）等のＴｈｕｉｄｉｕｍ  Ｂｒｕｃｈ  ｅｔ  Ｓｃｈｉｍｐ．ｉｎ  Ｂ．Ｓ．Ｇ．（Ｓｈｉｎｏｂｕｇｏｋｅ−ｚｏｋｕ）等を挙げることができるが、これらに限定されるものではない。
これらのコケ植物は、単独種類のコケ植物を用いることは勿論のこと、２種以上を組み合わせて用いることも可能である。
また、本固定基板においては、意図的に性質の異なるコケ植物同士、例えば、日光を好むコケ植物と日陰を好むコケ植物を組み合わせて用いることにより、本固定物を施工する場所の具体的な環境に応じ、コケ植物同士で競合遷移を起こさせることも可能である。
本発明において、コケ植物は、全植物体をそのまま用いることも可能であり、細断された形態（好適には、０．５〜２ｍｍ長程度）で用いることも可能である。コケ植物においては、一般的に、植物体を細断することにより、再生能力を向上させることができる。この場合、コケ植物を細断する手段は、特に限定されず、例えば、乾燥させたコケ植物を、回転刃等で対象物を粉砕可能な粉砕機で粉砕することにより、所望の粉砕処理を行うことができる。また、特に、コケ植物の成長芽は、再生力が強いので、これを選択的に用いることが好適である。成長芽の選択的取得は、例えば、スナゴケ類等の頂蘚類においては、自生しているコケ植物の植物体頂部（成長芽が位置する）を、バリカン状のハサミ等により容易に行うことができる（スナゴケ類においては、植物体頂部をほうき等で掃くことによっても成長芽を選択的に得ることができる）。なお、コケ植物は、一旦再生芽を除去しても、早期に再生するので、この再生芽の取得作業は、同一のコケ植物において、何度も行うことができる。
土台組成物にコケ植物を含有させる場合のコケ植物の含有量は、本固定基板の態様によっても異なるもので、必要に応じて選択することができる。具体的には、通常、土台組成物のコケ植物以外の含有物の０．０１〜１５倍量（質量比）、好適には、０．１〜２倍量（質量比）の範囲で配合される。
この好適範囲である０．１〜２倍量（質量比）〔さらに好適には、０．１〜１倍量（質量比）〕で、コケ植物を含有させる場合で、かつ、本固定基板の表面が、このコケ植物を含有する土台組成物で構成される場合には、コケ植物を本固定基板の表面に露出させることが、本固定基板におけるコケ植物の生育を行うために必要である。
かかるコケ植物の露出手段としては、例えば、▲１▼電動のやすり付き工具等で、固定基板の表面を薄く削り出し処理をすることや、最も好適な態様として、▲２▼成型された土台組成物の前駆組成物の水分が失われる前に、成型された当該組成物の表面を、水流と接触させること、▲３▼群落状（野生のコケが形成する群落に近似した状態）に起立配置した、露出させることを予定するコケ植物に、土台組成物の前駆組成物を上層し、その上から、その組成物を、群落状に起立配置されたコケ植物の下部に向けて、コケ植物の上部が起立して露出した状態となるように移動させること、等を挙げることができる。
露出手段▲２▼▲３▼は、効率的にコケ植物の露出を行うことが可能であること、および、露出工程において、削り出しのような埃が発生しないという点において、極めて有利である。
水流を用いた露出工程▲２▼は、土台組成物がコケ植物を含有するという特徴により、はじめて可能となる。すなわち、この露出手段▲２▼を行う際には、水流を接触させる前駆組成物には水分が含まれている、固化前の状態であるから、通常であれば、水流によって組成物は崩れてしまうはずである。しかしながら、成型された組成物の水流を接触させる面の表面の付近に存在するコケ植物が、水流をトラップすることにより、組成物が崩れてしまうことを防御する。このために、ごく表面の前駆組成物の土質細物や粉砕紙等のみが水流との接触によって洗い流され、その結果、所望するコケ植物の露出状態を非常に簡便に実現することができる。なお、この水流の強さの程度は、日本国において、通常の状態（給水制限時のように、極端に水圧が下がっている場合は、水圧が不足する可能性がある）で用いる家庭用の上水道から連結したシャワーノズル付きホースで実現される程度の水流で十分である。
露出工程▲３▼は、コケ植物の植物体を、本固定基板の表面に、最も明瞭に露出させることができる工程である。すなわち、上記の露出工程▲１▼▲２▼は、主に、コケ植物の植物体の側面の一部を露出させることを可能とする工程であるのに対して、この露出工程▲３▼は、群落状に起立配置（コケ植物の植物体の頂部を上側に向けることを意味するが、必ずしも直立状態を意味せず、コケ植物の植物体の頂部が、斜め上向き方向になって配置されている状態も、この起立配置に含まれる）したコケ植物の植物体の頂部近傍を、全て、本固定基板表面において露出させることが可能である。この露出工程▲３▼により、コケ植物の植物体が露出された本固定基板においては、あたかも、他の方法により露出を行った本固定基板のコケ植物を養生して、再生芽の芽出しが認められているような、際立ったモスグリーンを、本固定基板の製造当初から付与することができる。なお、この露出工程▲３▼において、土台組成物の前駆組成物を、群落状に起立配置したコケ植物の下部方向に移動させる手段は特に限定されず、水流や風圧を用いることが可能であるが、水流を用いることが好適である。この水流は、露出工程▲２▼と同様に、通常の家庭用の上水道から連結したシャワーノズル付きホースで実現される程度の水流で十分である。
これらのコケ植物の露出手段（▲１▼，▲２▼，▲３▼等）を用いた態様の本固定基板は、コケ植物が（▲１▼，▲２▼）、または、本固定基板の上面部分または起立させたコケ植物の下部近傍（▲３▼）が、紙繊維及び土質細物等によって、強く固定されているために、例えば、本固定基板を、斜面上に施工する場合においても、コケ植物が雨風等による脱落を減少させることが可能である。
本固定基板の厚さを、極めて薄くする（基板の厚さ：５ｍｍ程度）場合には、本固定基板を構成する素材の全てを、土台組成物におけるコケ植物の含有量をコケ植物以外の含有物の２倍未満（好適には、０．１〜１倍量）とした組成物とすることが好適である。この態様の本固定基板の製造工程においても、上記と同様のコケ植物の露出手段（例えば、▲１▼又は▲２▼等）を行うことにより、コケ植物を、かかる薄型の本固定基板の上面に露出させることができる。
本固定基板においては、土台組成物からなる小粒単位を用いる態様が認められる。かかる小粒単位（通常は、球状物とした場合、直径が１〜１０ｍｍ程度の大きさである）は、土台組成物（コケ植物を含む場合も、含まない場合も認められる）を、公知の造粒手段を用いて製造することができる。
例えば、土台組成物の前駆組成物を、小さい塊に分け、この塊をプレート等の上に載せて、回転力をかけることにより、丸みをおびた小石風の、水分を含んだ小粒単位を製造することができる。
また、小粒単位の形状を球状に揃えたい場合には、球状の核粒子（例えば、粘土核、紙粘土核等により、容易に製造することができる）を、前駆組成物等を載せたプレート等に回転力をかけることにより、球状に揃った小粒単位を製造することができる。
さらに、球状の小粒単位に圧力（例えば、踏圧）をかけることにより、その形状を扁平化することも可能である。
また、小粒単位において、コケ植物を粒状物表面に露出させる場合には、上述のコケ植物の露出手段▲１▼▲２▼により、すなわち、粒状物の表面を削ったり、流水と接触させることにより（この場合、粒状物表面の土質細物は流水により除去されるが、内部の土質細物は、コケ植物が水によりトラップされることにより維持される）、所望するように、コケ植物を小粒単位の表面に露出させることが可能である。なお、上記の流水との接触は、ホース等からの水流により行うことも可能であり、例えば、電気洗濯機の洗濯槽に準じた機能を有する槽において、粒状物を処理することにより、効率的に流水との接触工程を行うことができる。この場合、槽内の壁を、やすり構造とすることにより、この部分と粒状物との接触による削り取り効果により、コケ植物の露出過程を促進することができる。
また、逆に、粒状物の内部にコケ植物を封じたい場合には、例えば、上記の粒状物の造粒過程に準じて、一旦製造した粒状物を核粒子として、これを前駆組成物（コケ植物を含まない）で表面被覆したり、一旦製造した粒状物の表面を表面を湿らせて、土質細物と接触させることによって、コケ植物が内部に封じ込められた小粒単位を製造することができる。
また、本固定基板の排水機構として用いられることのある多孔基板は、水が容易に浸透する程度の孔密度と孔の大きさを有しているものであれば、特に限定されず、公知の多孔性素材（多孔性コンクリート、軽石等）を用いることができるが、上記の土台用組成物を素材とする小粒単位を連結固定してなる多孔基板であることが好適である。
この態様の小粒単位からなる多孔基板は、例えば、完全には乾燥していない多数の小粒単位を、型枠の中に配置して、これを型枠内で圧縮して小粒単位同士を圧着させること等により製造することができる。
多孔基板を用いた本固定基板の代表的な態様として、土台組成物を土台としてコケ植物が固定されている固定基板の上面において、コケ植物が表面に露出している土台組成物より形成され、かつ、下面が、多孔基板で形成されている態様を挙げることができる。
また、基板表面の一部または全部に、コケ植物を含有する小粒単位が固定されている態様を挙げることができる。
発明を実施するための最良の形態
以下、図面を用いつつ、本発明の実施の形態を説明する。
第１Ａ図（：工程１〜５）と第ＩＢ図（：工程６以降）は、土台組成物で構成される、「表裏の凹凸構造が設けられた、本固定基板の一実施態様の製造工程を示す図面である。
工程１（縦断面図）では、中皿状の型枠１１（底面に、複数の排水口１１１が設けられている）の底面に、網状体１２ａを敷き、その上に、容器１に入った土台組成物の前駆組成物１３を入れて、シャワーノズル１４からの水流で前駆組成物１３の上面を流して、土台組成物中のコケ植物１３１を表面に露出させている。
ここで、土台組成物の前駆組成物１３は、少なくとも上面部分には、コケ植物１３１が含まれていることが必要である。この条件を実現するには、前駆組成物１３全部に、コケ植物１３１を均等の割合で含有させてもよいが、コケ植物１３１を節約するために、上面部分には多く、下面部分には少なく含有させることが好適である。このように、異なる割合でコケ植物１３１を、前駆組成物１３に分布させるには、例えば、異なる割合でコケ植物１３１を含有する前駆組成物を、別々に調製して、最初にコケ植物１３１の含有割合の少ない（含有しなくてもよい）前駆組成物１３ａを、型枠１１に入れて、その上から、順次、コケ植物１３１の含有割合の多い前駆組成物１３ａｍ（ｍは、１以上の整数で、前駆組成物１３ａの上に重層する前駆組成物の種類数と重層の順番を示す）を重層することにより行うことができる。
工程２（縦断面図）は、工程１で露出させたコケ植物１３１の上に、網状体１２ｂを敷いて、その上から重し１５ａを載せて、下方向（矢印Ａ）に、型枠１１内で、前駆組成物１３を圧縮する工程である。この圧縮により、前駆組成物１３から滲み出る水分は、排水口１１１から、型枠１１の外部に排出される。
工程３（縦断面図）は、工程２の対象物を、上下反転させた状態で、一旦、型枠１１と網状体１２ａを取り外し、網状体１２ａに替えて、格子構造を有する平板剛体１６を、前駆組成物１３の上に載せ、再び、その上に、型枠１１を被せる工程である。平板剛体１６の格子構造の内容（例えば、格子の穴を設ける頻度、穴の形状、大きさ等）は、自由に設定することができる。
工程４（縦断面図）は、工程３の対象物を、再び、上下反転させて、重し１５ａと網状体１２ｂを取り外して、これに替えて、凸構造体１７の凸構造が、前駆組成物１３に接触するように配置する工程である。この凸構造体１７は、本実施例のように、網状体１７１の上に、突端が細くなるテーパを有する凸構造１７２が、型枠１１内の平板剛体１６の格子の非凹部分に合わさるように分布して固設されていることが好適であるが、その内容は、自由に設定することができる。
工程５（縦断面図）は、凸構造体１７の上から、再び、重し１５ａを載せた工程４の対象物を、再び、上下反転させて、型枠１１内の前駆組成物１３を、再び、強く（対象物に対して、６０〜８０ｋｇ程度の荷重をかける程度）、矢印Ｂ方向に圧縮する工程を示している。
（以上、工程１〜５まで、第１Ａ図に示した。）
工程６（縦断面図）は、圧縮を行った、工程５の対象物から、一旦、型枠１１と平板剛体１６を取り外して、替わりに、型枠１１のみを被せる工程を示している。
工程７（縦断面図）は、工程６の対象物を、再び、上下反転させて、重し１５ａと凸構造体１７を取り外す工程を示している。取り外し後、型枠１１内の前駆組成物１３を乾燥させる（自然乾燥が好適である）。
工程８（縦断面図）は、工程７での乾燥後、型枠から、固定物を取り出し、これが、表裏の凹凸構造が設けられた本固定基板の一実施態様１０である。本固定基板１０を裏から見た概略図を、第１Ｃ図として示し、表から見た概略図を、第１Ｄ図として示している。
本固定基板１０では、基板裏側の凹構造１０１（平板剛体１６の格子構造に対応する連続的な凹構造である）が、これを施工した場合の排水路（排水機構）として働くこととなる。すなわち、降水時等においても、水が、基板裏側の凹構造１０１を介して、基板外部に流出しやすくなり、水が、基板近傍に滞留することを回避することができる。また、例えば、基板表側の凹構造１０２の底部に、貫通口を設けることにより、この凹構造１０２に集中する雨水等を、速やかに、基板裏面に移行させ、裏面の凹構造１０１を介しての排水を促進させることができる（本固定基板１０を、コンクリート面に施工する場合には、例えば、裏面の凸部に、シリコーン系の接着剤等の、コケ植物の生育に悪影響を与えない接着剤を用いて、固定することが好適である。この場合、前記の貫通口の一部または全部を、接着剤の注入口として用いることも可能である。）。
（以上、工程６〜８と本固定基板１０の全体概略図を、第１Ｂ図に示した。）
なお、本固定基板１０の表裏を逆にして用いることも可能である。この態様の場合、コケ植物１３１を露出させる面が、本固定基板１０とは逆となるので、前駆組成物１３におけるコケ植物１３１の分布勾配を設ける場合には、前述の工程３における格子状の平板剛体１６の代わりに凸構造体１７を用い、工程４における凸構造体１７の代わりに平板剛体１６を用いることにより、所望する本固定基板１０’を製造することが好適である。
本固定基板１０’の裏面の凹構造１０１’は、深部が狭まったテーパが設けられているため、砂利や小石を敷きつめた箇所１００に、この本固定基板１０’を被せるようにして敷設することにより、安定した施工状態を容易に実現することが可能である。本固定基板１０’の表面の凹構造１０２’の底部に、貫通口を設けることによって、この凹構造１０２’に集まる雨水を、速やかに砂利や小石に向けて排水することができる〔第２図（縦断面図）〕。
第３Ａ図および第３Ｂ図は、「小粒単位が連結固定されてなる多孔基板」を用いた、本固定基板の他の実施態様の製造工程を示した図面である。
工程１（縦断面図）は、本固定基板１０を製造する場合の工程６を経た対象物の上に、第２の重し１５ｂを載せて、上下反転させる工程であり、工程２（縦断面図）は、工程１の対象物から、第１の重し１５ａを外す工程である。
工程３（縦断面図）は、工程２の対象物の上から、型枠１１’を被せて、再び、対象物を、上下反転させる工程であり、工程４（縦断面図）は、工程３の対象物から、第２の重し１５ｂを外す工程である。
工程５（縦断面図）は、工程４の対象物の上部から、容器２に入った、多数の小粒単位２１（完全乾燥前の土台組成物で出来ていることが好適である。製造方法については、前述した。）を重層する工程である。この工程５において、重層した多数の小粒単位２１の上層に、さらに、土台組成物の前駆組成物２２（通常は、コケ植物は含有しない：容器３に入っている）を重層するのが好適である。
（以上、工程１〜５を、第３Ａ図に示した。）
工程６（縦断面図）は、工程５の対象物に、網状体１２ｃを載せて、その上から、重し１５ａまたは１５ｂを載せて、矢印Ｃ方向に圧縮する工程であり（圧縮強度は、対象物に対して、１０ｋｇ程度の荷重をかける程度）、圧縮後、再び、対象物を、上下反転させる。この圧縮により、多数の小粒単位２１同士が連結固定し、連結固定した多数の小粒単位２１からなる多孔基板と凹凸構造を設けた基板が連結固定される。
工程７（縦断面図）は、工程６の対象物から、型枠１１’と凸構造体１７を取り外す工程であり、工程８（縦断面図）は、工程７の対象物に、再び、型枠１１’を被せる工程であり、工程９（縦断面図）は、工程８の対象物を、再び、上下反転させて、重し１５ａまたは１５ｂと網状体１２ｃを取り外し、対象物を乾燥させる工程である。
乾燥後、対象物を型枠１１’から取り外して、本固定基板１０の下部に、さらに、「小粒単位が連結固定されてなる多孔基板」が積層固定された、本固定基板２０（全体概略図：第３Ｃ図）が提供される。
本固定基板２０の多孔基板部分は、排水性に優れる排水機構として働くものである。また、屋上面のような平地に、本固定基板２０を配置すると、経時により、多孔基板部分が崩れ、あたかも、初期の屋上面に盛土をしたような状態とすることが可能である。
（以上、工程６〜９と本固定基板２０の全体概略図を、第３Ｂ図に示した。）
第４Ａ図は、本固定基板自体が、小粒単位が連結固定されてなる多孔基板である、本発明の実施態様を示した図面である。
工程１（縦断面図）は、中皿状の型枠３１の中に、土台組成物の前駆組成物（通常は、コケ植物は含有しない）で構成される、多数の第１の小粒単位３２１を、容器４から入れて配置し、さらに、その上から、容器５に入った、コケ植物を含有する土台組成物で構成される、多数の第２の小粒単位３２２を上層して、重し１５ｃにより、対象物を圧縮する（圧縮強度は、対象物に対して、１０ｋｇ程度の荷重をかける程度）工程である。
工程１’（縦断面図）は、工程１における第２の小粒単位の代わりに、多数の小粒単位３２２と、不定型のコケ植物を含有する土台組成物の小単位３２３の混合物を上層する工程である。
工程１または１’の終了後、型枠内の対象物を乾燥（好適には自然乾燥）させることにより、小粒単位が連結固定されてなる多孔基板である、本固定基板３０（全体概略図：第４Ｂ図）を製造することができる。
本固定基板３０は、多数の小孔が設けられているため、排水性に優れ、強い降雨に見舞われると、小粒単位同士の連結が解け、水圧を吸収しやすくなる（平地において、「基板」という形状は、施工時に必要なものであり、その後、経時的に形状が崩壊しても、環境改善に資することが可能であり、むしろ、基板形状が崩れた方が自然状態に近似しているという面もある）。平地において、この態様の本固定基板の回りに砂利等を敷き詰める形態で施工することが好適である。
産業上の利用可能性
本発明により、排水機構が設けられた、コケ植物の固定化基板が提供される。
【図面の簡単な説明】
第１Ａ図は、本固定基板の、一実施態様の製造工程の前半部分を示した図面である。
第１Ｂ図は、本固定基板の、一実施態様の製造工程の後半部分等を示した図面である。
第１Ｃ図は、本固定基板１０を裏から見た概略図である。
第１Ｄ図は、本固定基板１０を表から見た概略図である。
第２図は、本固定基板の、一実施態様における別形態を示した図面である。
第３Ａ図は、本固定基板の、多孔基板を用いた実施態様の製造工程の前半部分を示した図面である。
第３Ｂ図は、本固定基板の、多孔基板を用いた実施態様の製造工程の後半部分等を示した図面である。
第３Ｃ図は、本固定基板２０の全体概略図である。
第４Ａ図は、本固定基板の、多孔基板を全体として用いた実施態様を示した図面である。
第４Ｂ図は、本固定基板３０の全体概略図である。
2003098995.tif 000003
2003098995.tif 000004
【図２】
2003098995.tif 000005
2003098995.tif 000006
2003098995.tif 000007
2003098995.tif 000008
【国際調査報告】
2003098995.tif 000009
2003098995.tif 000010
2003098995.tif 000011
2003098995.tif 000012